(57)【要約】【課題】制御装置を配置することなく、共同玄関機や管理人室親機の制御機能が停止している場合においても居室親機から共同玄関をモニターしたり管理人室親機を呼び出したりできるようにする。【解決手段】居室毎に設置される居室親機２ａ、２ｂ、３ａ、３ｂ、・・・と、共同玄関に設置され、システム制御する制御機能を内蔵する共同玄関機１ａ、１ｂ、１ｃ、・・・と、管理人室に設置され、システム制御する制御機能を内蔵する管理人室親機４ａ、４ｂとから構成され、居室親機は、管理人室親機を呼び出す際、管理人室親機の制御機能を能動とし、また、共同玄関をモニターする際、共同玄関機の制御機能を能動とするためのＣＰＵ２０を備えている。【選択図】図１
2004180085.tif 000002
【特許請求の範囲】
【請求項１】
居室毎に設置される居室親機（２ａ、２ｂ、３ａ、３ｂ、・・・）と、共同玄関に設置され、システム制御する制御機能を内蔵する共同玄関機（１ａ、１ｂ、１ｃ、・・・）と、管理人室に設置され、前記制御機能を内蔵する管理人室親機（４ａ、４ｂ）とから構成され、
前記居室親機は、前記管理人室親機を呼び出す際、前記管理人室親機の前記制御機能を能動とするためのＣＰＵ（２０）を備えたことを特徴とする集合住宅用インターホンシステム。
【請求項２】
能動とされた前記管理人室親機は、前記共同玄関機の前記制御機能を非能動とするためのＣＰＵ（４０）を備えたことを特徴とする請求項１記載の集合住宅用インターホンシステム。
【請求項３】
前記制御機能を内蔵する複数の管理人室親機（４ａ、４ｂ）を備え、能動とされた前記管理人室親機は、他の前記管理人室親機及び前記共同玄関機の前記制御機能を非能動とするためのＣＰＵ（４０）を備えたことを特徴とする請求項２記載の集合住宅用インターホンシステム。
【請求項４】
前記制御機能を内蔵する複数の管理人室親機（４ａ、４ｂ）を備え、前記居室親機は、能動とされる何れかの管理人室親機が停止しているとき、他の前記管理人室親機を呼び出すためのＣＰＵ（２０）を備えたことを特徴とする請求項１記載の集合住宅用インターホンシステム。
【請求項５】
居室毎に設置される居室親機（２ａ、２ｂ、３ａ、３ｂ、・・・）と、共同玄関に設置され、システム制御する制御機能を内蔵する共同玄関機（１ａ、１ｂ、１ｃ、・・・）と、管理人室に設置され、前記制御機能を内蔵する管理人室親機（４ａ、４ｂ）とから構成され、
前記居室親機は、前記共同玄関をモニターする際、前記共同玄関機の前記制御機能を能動とするためのＣＰＵ（２０）を備えたことを特徴とする集合住宅用インターホンシステム。
【請求項６】
能動とされた前記共同玄関機は、前記管理人室親機の前記制御機能を非能動とするためのＣＰＵ（１０）を備えたことを特徴とする請求項５記載の集合住宅用インターホンシステム。
【請求項７】
前記制御機能を内蔵する複数の共同玄関機（１ａ、１ｂ、１ｃ、・・・）を備え、能動とされた前記共同玄関機は、他の共同玄関機及び前記管理人室親機の前記制御機能を非能動とするためのＣＰＵ（１０）を備えたことを特徴とする請求項６記載の集合住宅用インターホンシステム。
【発明の詳細な説明】
【０００１】
【発明の属する技術分野】
本発明は、集合住宅用インターホンシステムに係り、特にシステム全体を制御する制御端末を切り替える機能を備える集合住宅用インターホンシステムに関する。
【０００２】
【従来の技術】
従来から、この種の集合住宅用インターホンシステムは、図２のブロック図に示すように、システムを制御する制御装置１００を介してシステム全体を制御するように構成されている（例えば、特許文献１参照）。即ち、集合住宅の共同玄関に設置される共同玄関機１０１ａ、１０１ｂ、１０１ｃ、・・・と、集合住宅の居室毎に設置される居室親機１０２ａ、１０２ｂ、・・・、増設用居室親機１０３ａ、１０３ｂ、・・・と、集合住宅の管理室に設置される管理人室親機１０４ａ、１０４ｂと、各共同玄関機１０１ａ、１０１ｂ、１０１ｃ、・・・と各居室親機１０２ａ、１０２ｂ、・・・、各増設用居室親機１０３ａ、１０３ｂ、・・・及び各管理人室親機１０４ａ、１０４ｂ間、各居室親機１０２ａ、１０２ｂ、・・・、各増設用居室親機１０３ａ、１０３ｂ、・・・と各管理人室親機１０４ａ、１０４ｂ間で送受信される種々の信号（呼出信号、音声信号等）の伝送ラインを切り替え形成する制御装置１００とから構成されている。
【０００３】
このような集合住宅用インターホンシステムにおいて、例えば共同玄関機１０１ａで呼び出すべき居室に設置されている居室親機１０２ａ、増設親機１０３ａを呼び出す操作を行うと、共同玄関機１０１ａは、制御装置１００に対して呼出要求信号を送出する。制御装置１００は、この呼出要求信号に基づき他のすべての端末からの操作を抑制すると共に居室親機１０２ａ、増設親機１０３ａを呼び出すための呼出信号を送出して、居室親機１０２ａ、増設親機１０３ａから呼出音を鳴動させる。居室の家人がこの呼び出しに応答するために居室親機１０２ａまたは増設親機１０３ａで受話器を取り上げると、制御装置１００が居室親機１０２ａ、増設親機１０３ａを呼び出すための呼出信号の送出を停止して、受話器を取り上げた居室親機１０２ａまたは増設親機１０３ａと共同玄関機１０１ａ間の通話路を形成するので、共同玄関の来訪者と居室の家人とは通話ができるようになる。
【０００４】
【特許文献１】特開平１１−３４１１６９号公報（第２−３頁、段落番号０００２−０００７、第４図）
【０００５】
【発明が解決しようとする課題】
しかしながら、このような従来の集合住宅用インターホンシステムでは、システム制御を制御装置で行わなければならなかった。したがって、システム全体のコストを上げる一因になっていた。
【０００６】
本発明はこのような従来の難点を解決するためになされたもので、制御装置を配置することなく、居室親機から共同玄関をモニターしたり管理人室親機を呼び出したりすることができる集合住宅用インターホンシステムを提供することを目的とする。
【０００７】
【課題を解決するための手段】
上記目的を達成する請求項１記載の本発明の集合住宅用インターホンシステムは、居室毎に設置される居室親機と、共同玄関に設置され、システム制御する制御機能を内蔵する共同玄関機と、管理人室に設置され、制御機能を内蔵する管理人室親機とから構成されている。この居室親機は、管理人室親機を呼び出す際、管理人室親機の制御機能を能動とするためのＣＰＵを備えたものである。
【０００８】
このような集合住宅用インターホンシステムによれば、管理人室親機の制御機能が停止している場合においても、居室親機で管理人室親機を呼び出すと、居室親機のＣＰＵが管理人室親機の制御機能を能動とするので、居室親機から管理人室親機を呼び出すことができるようになる。
【０００９】
また、請求項２記載の本発明の集合住宅用インターホンシステムにおいて、能動とされた管理人室親機は、共同玄関機の制御機能を非能動とするためのＣＰＵを備えたものである。これにより、呼び出しを行った居室親機と呼び出された管理人室親機との間で形成された通話路が、共同玄関機によって遮断されることを防止できる。
【００１０】
また、請求項３記載の本発明の集合住宅用インターホンシステムにおいては、制御機能を内蔵する複数の管理人室親機を備え、能動とされた管理人室親機は、他の管理人室親機及び共同玄関機の制御機能を非能動とするためのＣＰＵを備えたものである。これにより、呼び出しを行った居室親機と、呼び出された管理人室親機との間で形成された通話路が、他の管理人室親機や共同玄関機によって遮断されることを防止できる。
【００１１】
また、請求項４記載の本発明の集合住宅用インターホンシステムにおいては、制御機能を内蔵する複数の管理人室親機を備え、居室親機は、能動とされる何れかの管理人室親機が停止しているとき、他の管理人室親機を呼出すためのＣＰＵを備えたものである。これにより、居室親機から管理人室親機を呼び出す際、呼び出すべき管理人室親機が故障などで停止していても、他の管理人室親機を呼び出すことができる。
【００１２】
また、上記目的を達成する請求項５記載の本発明の集合住宅用インターホンシステムは、居室毎に設置される居室親機と、共同玄関に設置され、システム制御する制御機能を内蔵する共同玄関機と、管理人室に設置され、制御機能を内蔵する管理人室親機とから構成されている。この居室親機は、共同玄関をモニターする際、共同玄関機の制御機能を能動とするためのＣＰＵを備えたものである。
【００１３】
このような集合住宅用インターホンシステムによれば、共同玄関機の制御機能が停止している場合においても、居室親機で共同玄関をモニターするための操作を行うと、居室親機のＣＰＵが共同玄関機の制御機能を能動とするので、居室親機で共同玄関をモニターすることができるようになる。
【００１４】
また、請求項６記載の本発明の集合住宅用インターホンシステムにおいて、能動とされた共同玄関機は、管理人室親機の制御機能を非能動とするためのＣＰＵを備えたものである。これにより、共同玄関をモニターするための操作を行った居室親機とモニターすることを指示された共同玄関機との間で形成された伝送路が、管理人室親機によって遮断されることを防止できる。
【００１５】
また、請求項７記載の本発明の集合住宅用インターホンシステムにおいては、制御機能を内蔵する複数の共同玄関機を備え、能動とされた共同玄関機は、他の共同玄関機及び管理人室親機の制御機能を非能動とするためのＣＰＵを備えたものである。これにより、共同玄関をモニターするための操作を行った居室親機と、モニターすることを指示された共同玄関機との間で形成された伝送路が、他の共同玄関機や管理人室親機によって遮断されることを防止できる。
【００１６】
【発明の実態の形態】
以下、本発明の集合住宅用インターホンシステムをその好ましい実施の形態例について図面を参照して詳述する。
【００１７】
本発明の集合住宅用インターホンシステムは図１に示すように、集合住宅の居室毎に設置される居室親機２ａ、２ｂ、・・・、増設用居室親機３ａ、３ｂ、・・・（以下、「居室親機２ａ、２ｂ、３ａ、３ｂ、・・・」とする。）と、集合住宅の共同玄関に設置され、来訪者を撮像するためのカメラ１３を備えると共にシステム制御する制御機能を内蔵する共同玄関機１ａ、１ｂ、１ｃ、・・・と、集合住宅の管理人室に設置され、システム制御する制御機能を内蔵する管理人室親機４ａ、４ｂとから構成され、これら端末は伝送線Ｌによってバス接続されている。
【００１８】
居室親機２ａ、２ｂ、３ａ、３ｂ、・・・はそれぞれ、制御回路２０（以下、「ＣＰＵ２０」とする。）と、共同玄関モニタボタン、呼出ボタンなどの各種ボタンから成る操作部２２と、ＣＰＵ２０などが接続され居室親機２ａ、２ｂ、３ａ、３ｂ、・・・を伝送線Ｌに接続するためのインターフェイス２１（以下、「Ｉ／Ｆ２１」とする。）と、共同玄関機１ａ、１ｂ、１ｃ、・・・、管理人室親機４ａ、４ｂと通話するためのハンドセット２３と、共同玄関機１ａ、１ｂ、１ｃ、・・・のカメラ１３で撮像された映像を表示するテレビモニタ２４とを備えている。
【００１９】
ＣＰＵ２０は、管理人室親機４ａ、４ｂの制御機能を能動とする機能を有している。これにより、省エネルギー化を図るために管理人室親機４ａ、４ｂの制御機能を停止させている場合においても、居室親機２ａ、２ｂ、３ａ、３ｂ、・・・で、例えば管理人室親機４ａを呼び出すと、居室親機２ａ、２ｂ、３ａ、３ｂ、・・・のＣＰＵ２０が管理人室親機４ａの制御機能を能動とするので、居室親機２ａ、２ｂ、３ａ、３ｂ、・・・から管理人室親機４ａを呼び出すことができるようになる。
【００２０】
また、ＣＰＵ２０は、共同玄関を共同玄関機１ａ、１ｂ、１ｃ、・・・のカメラ１３でモニターする際、共同玄関機１ａ、１ｂ、１ｃ、・・・の制御機能を能動とする機能を有している。これにより、省エネルギー化を図るために共同玄関機１ａ、１ｂ、１ｃ、・・・の制御機能を停止させている場合においても、居室親機２ａ、２ｂ、３ａ、３ｂ、・・・で、例えば共同玄関を共同玄関機１ａのカメラ１３にてモニターするための操作を行うと、居室親機２ａ、２ｂ、３ａ、３ｂ、・・・のＣＰＵ２０が共同玄関機１ａの制御機能を能動とするので、居室親機２ａ、２ｂ、３ａ、３ｂ、・・・で共同玄関をモニターすることができるようになる。
【００２１】
共同玄関機１ａ、１ｂ、１ｃ、・・・は、システム制御する制御機能を有する制御回路１０（以下、「ＣＰＵ１０」とする。）と、テンキー操作ボタン、呼出ボタンなどの各種ボタンから成る操作部１２と、ＣＰＵ１０などが接続され共同玄関機１ａ、１ｂ、１ｃ、・・・を伝送線Ｌに接続するためのインターフェイス１１（以下、「Ｉ／Ｆ１１」とする。）と、玄関機自体あるいは共同玄関の所定位置に設置されるカメラ１３と、居室親機２ａ、２ｂ、３ａ、３ｂ、・・・及び管理人室親機４ａ、４ｂと通話するためのスピーカ１４、マイク１５とを備えている。
【００２２】
ＣＰＵ１０は、居室親機２ａ、２ｂ、３ａ、３ｂ、・・・のＣＰＵ２０によって能動とされると、管理人室親機４ａ、４ｂの制御機能を非能動とする機能を有している。これにより、共同玄関をモニターするための操作を行った居室親機と、モニターすることを指示された共同玄関機との間で形成された伝送路が、管理人室親機４ａ、４ｂによって遮断されることを防止できる。
【００２３】
管理人室親機４ａ、４ｂは、システム制御する制御機能を有する制御回路４０（以下、「ＣＰＵ４０」とする。）と、呼出ボタンなどの各種ボタンから成る操作部４２と、ＣＰＵ４０などが接続され管理人室親機４ａ、４ｂを伝送線Ｌに接続するためのインターフェイス４１（以下、「Ｉ／Ｆ４１」とする。）と、居室親機２ａ、２ｂ、３ａ、３ｂ、・・・、共同玄関機１ａ、１ｂ、１ｃ、・・・と通話するためのハンドセット４３とを備えている。
【００２４】
ＣＰＵ４０は、居室親機２ａ、２ｂ、３ａ、３ｂ、・・・のＣＰＵ２０によって能動とされると、共同玄関機１ａ、１ｂ、１ｃ、・・・の制御機能を非能動とする機能を有している。これにより、呼び出しを行った居室親機と呼び出された管理人室親機との間で形成された通話路が、共同玄関機１ａ、１ｂ、１ｃ、・・・によって遮断されることを防止できる。
【００２５】
このように構成された集合住宅用インターホンシステムにおいて、例えば居室親機２ａの操作部２２で呼び出すべき管理室に設置されている管理人室親機４ａを呼び出すと、居室親機２ａのＣＰＵ２０からＩ／Ｆ２１を介して管理人室親機４ａのアドレスと共に当該管理人室親機４ａのＣＰＵ４０を能動とするための制御データが付加された呼出信号が伝送線Ｌに送出される。伝送線Ｌに送出されたこの呼出信号が、省エネルギー化を図るために制御機能を停止させている管理人室親機４ａのＩ／Ｆ４１を介して管理人室親機ＣＰＵ４０に入力すると、管理人室親機ＣＰＵ４０は能動とされるので、この管理人室親機ＣＰＵ４０は各共同玄関機１ａ、１ｂ、１ｃ、・・・の制御機能を非能動とするための制御信号をＩ／Ｆ４１を介して伝送線Ｌに送出して、各共同玄関機１ａ、１ｂ、１ｃ、・・・に入力させる。これにより、呼び出しを行った居室親機２ａと、呼び出された管理人室親機４ａとの間で通話路が形成されると共に、この通話路が各共同玄関機１ａ、１ｂ、１ｃ、・・・によって遮断されることを防止できる。
【００２６】
なお、管理人室が複数、例えば２室設けられている場合においては、各管理人室毎に管理人室親機を設置させることになるので、各管理人室親機４ａ、４ｂは、居室親機２ａ、２ｂ、３ａ、３ｂ、・・・によって能動とされた管理人室親機が他の管理人室親機及び各共同玄関機１ａ、１ｂ、１ｃ、・・・の制御機能を非能動とするためのＣＰＵ４０を備えるようにするとよい。これにより、呼び出しを行った居室親機と、呼び出された管理人室親機との間で形成された通話路が、他の管理人室親機や共同玄関機によって遮断されることを防止できる。
【００２７】
また、このような集合住宅用インターホンシステムにおいて、例えば居室親機２ａの操作部２２でモニターしたい共同玄関に設置されている共同玄関機１ａのカメラ１３を動作させる操作を行うと、居室親機２ａのＣＰＵ２０からＩ／Ｆ２１を介して共同玄関機１ａのアドレスが付加された当該共同玄関機１ａのカメラ１３を動作させる制御信号が伝送線Ｌに送出される。伝送線Ｌに送出されたこの制御信号が、共同玄関機１ａのＩ／Ｆ１１を介して玄関機ＣＰＵ１０に入力すると、玄関機ＣＰＵ１０は能動とされるので、この玄関機ＣＰＵ１０は管理人室親機４ａ、４ｂ（３台以上設置されている場合にはすべての管理人室親機）の制御機能を非能動とするための制御信号をＩ／Ｆ１１を介して伝送線Ｌに送出して、管理人室親機４ａ、４ｂ（３台以上設置されている場合にはすべての管理人室親機）に入力させる。これにより、モニターすべき共同玄関をモニターするための操作を行った居室親機２ａと、モニターすることを指示された共同玄関機１ａとの間で形成された伝送路が、管理人室親機４ａ、４ｂ（３台以上設置されている場合にはすべての管理人室親機）によって遮断されることを防止できる。
【００２８】
さらに、共同玄関機が複数設けられている場合においては、各共同玄関機１ａ、１ｂ、１ｃ、・・・は、居室親機２ａ、２ｂ、３ａ、３ｂ、・・・によってモニターすることを指示された共同玄関機が他の共同玄関機及び管理人室親機４ａ、４ｂ（３台以上設置されている場合にはすべての管理人室親機）の制御機能を非能動とするためのＣＰＵ１０を備えるようにしてもよい。これにより、何れかの共同玄関機が設置された共同玄関をモニターするための操作を行った居室親機と、モニターすることを指示された共同玄関機との間で形成された伝送路が、他の共同玄関機や管理人室親機４ａ、４ｂ（３台以上設置されている場合にはすべての管理人室親機）によって遮断されることを防止できる。
【００２９】
なお、複数、例えば２台の管理人室親機４ａ、４ｂを備えている場合において、居室親機２ａ、２ｂ、３ａ、３ｂ、・・・の何れかで管理人室親機４ａ、４ｂの何れか一方を呼び出しても、その管理人室親機が故障などで停止して制御機能を能動とすることができない場合に対処するために、居室親機２ａ、２ｂ、３ａ、３ｂ、・・・のＣＰＵ２０に、能動とされる何れかの管理人室親機が停止しているとき、他の管理人室親機を呼び出す機能を有するようにしてもよい。即ち、居室親機２ａ、２ｂ、３ａ、３ｂ、・・・の何れかで、例えば管理人室親機４ａを呼び出す際、この管理人室親機４ａが故障などで停止していると、当該管理人室親機４ａのＣＰＵ４０が能動とされないので、呼び出しを行った居室親機のＣＰＵ２０がそのことを認識して他の管理人室親機４ｂを呼び出すことになる。
【００３０】
なお、上述した本発明の実施の形態例においては、居室親機２ａ、２ｂ、３ａ、３ｂ、・・・で共同玄関機１ａ、１ｂ、１ｃ、・・・を操作して、共同玄関をモニターすることを映像に限定していたが、これに限らず、音声のみに限定あるいは包含させてもよい。
【００３１】
【発明の効果】
以上の説明から明らかなように、本発明の集合住宅用インターホンシステムによれば、制御装置を配置せずに構築した簡素なシステムにおいても、共同玄関機や管理人室親機の制御機能が停止している場合においても居室親機から共同玄関をモニターしたり管理人室親機を呼び出したりすることができる。したがって、制御装置を配置することなくシステムの信頼性を向上できる。また、居室親機から管理人室親機を呼ぶ際、何れかの管理人室親機が故障などで停止していても、当該居室親機により自動切替でその他の管理人室親機を呼ぶことができる。
【図面の簡単な説明】
【図１】本発明の集合住宅用インターホンシステムを示すブロック図。
【図２】従来の制御装置を備える集合住宅用インターホンシステムを示すブロック図。
【符号の説明】
１ａ、１ｂ、１ｃ、・・・・・・・・共同玄関機
２ａ、２ｂ、・・・・・・・・居室親機
３ａ、３ｂ、・・・・・・・・増設用居室親機
４ａ、４ｂ・・・・・管理人室親機
１０・・・・・共同玄関機のＣＰＵ
２０・・・・・居室親機のＣＰＵ
４０・・・・・管理人室親機のＣＰＵ
【図１】
2004180085.tif 000003
【図２】
2004180085.tif 000004